(57)【特許請求の範囲】
【請求項１】
無線通信ネットワークの第一のアクセス・サブネットワークにおけるアクセスの方法であって、
ａ．ユーザ機器との初期リンクを確立するステップと、
ｂ．コア・ネットワークから第一のサービス・ダウンリンク・データを受信し、又は前記ユーザ機器から第一のサービス・アップリンク・データを受信するステップと、
ｃ．前記第一のサービス・ダウンリンク・データを前記ユーザ機器に送信し、又は前記第一のサービス・アップリンク・データを前記コア・ネットワークに送信するステップと、
ｄ．前記ユーザ機器から第二のサービス要求を受信するステップと、
ｅ．前記第二のサービス要求を前記コア・ネットワークに転送するステップと、
ｆ．前記コア・ネットワークから第二のサービス・ダウンリンク・データを受信し、又は第二のアクセス・サブネットワークから第二のサービス・アップリンク・データを受信するステップと、
ｇ．前記第二のサービス・ダウンリンク・データを前記第二のアクセス・サブネットワークに送信し、又は前記第二のサービス・アップリンク・データを前記コア・ネットワークに送信するステップと
を含み、
前記第一のアクセス・サブネットワークと前記第二のアクセス・サブネットワークは異なる無線通信アクセス技術を採用する、方法。
【請求項２】
前記ステップａの前に、
前記ユーザ機器から第一のサービス要求を受信するステップと、
前記第一のサービス要求を前記コア・ネットワークに転送するステップと
をさらに含む、請求項１に記載の方法。
【請求項３】
前記ステップａの前に、
前記コア・ネットワークから被発呼アクセス要求を受信するステップ
をさらに含む、請求項１に記載の方法。
【請求項４】
前記ステップｆの前に、
前記第二のサービス要求が前記第二のアクセス・サブネットワークによって所定のパラメータに従って処理される必要があるか否かを決定するステップと、
前記第二のサービス要求が前記第二のアクセス・サブネットワークによって処理される必要がある場合に、前記第二のアクセス・サブネットワークに前記ユーザ機器とのリンクを確立するように指示するために前記第二のアクセス・サブネットワークに第一の通知メッセージを送信するステップと
をさらに含む、請求項１に記載の方法。
【請求項５】
前記ステップｆの前に、
前記第二のサービス要求が前記第二のアクセス・サブネットワークによって所定のパラメータに従って処理される必要があるか否かを決定するステップと、
前記第二のサービス要求が前記第二のアクセス・サブネットワークによって処理される必要がある場合に、前記ユーザ機器に前記第二のアクセス・サブネットワークとのリンクを確立するように指示するために前記ユーザ機器に第二の通知メッセージを送信するステップ
をさらに含む、請求項１に記載の方法。
【請求項６】
前記所定のパラメータが、前記第二のサービス要求により要求されるサービスの質と、前記ユーザ機器の前記第二のアクセス・サブネットワークにアクセスする能力と、前記第一のアクセス・サブネットワーク及び前記第二のアクセス・サブネットワークのネットワーク能力と、現在のネットワーク負荷とを含む、請求項４又は５に記載の方法。
【請求項７】
無線通信ネットワークの第二のアクセス・サブネットワークにおけるアクセスの方法であって、
Ａ．第一のアクセス・サブネットワーク又はコア・ネットワークからユーザ機器とのリンクを確立するように前記第二のアクセス・サブネットワークに指示するための第一の通知メッセージを受信し、又は前記ユーザ機器からリンク確立要求を受信するステップと、
Ｂ．前記ユーザ機器とのリンクを確立するステップと、
Ｃ．前記第一のアクセス・サブネットワークから第二のサービス・ダウンリンク・データを受信し、又は前記ユーザ機器から第二のサービス・アップリンク・データを受信するステップと、
Ｄ．前記第二のサービス・ダウンリンク・データを前記ユーザ機器に送信し、又は前記第二のサービス・アップリンク・データを前記第一のアクセス・サブネットワークに送信するステップと
を含み、
前記第一のアクセス・サブネットワークと前記第二のアクセス・サブネットワークは異なる無線通信アクセス技術を採用する、方法。
【請求項８】
無線通信ネットワークのコア・ネットワークにおけるアクセスにおいて支援する方法であって、
ｉ．第一のアクセス・サブネットワークから第二のサービス要求を受信するステップであって、前記第二のサービス要求はユーザ機器から発信されて前記第一のアクセス・サブネットワークにより転送されるステップと、
ｉｉ．所定のパラメータに従って前記第二のサービス要求が第二のアクセス・サブネットワークにより処理される必要があるか否かを決定するステップと、
ｉｉｉ．前記第二のサービス要求が前記第二のアクセス・サブネットワークにより処理される必要がある場合に前記第二のアクセス・サブネットワークに前記ユーザ機器とのリンクを確立することを指示するために、第一の通知メッセージを前記第二のアクセス・サブネットワークに送信するステップと、
ｉｖ．前記第一のアクセス・サブネットワークから第二のサービス・アップリンク・データを受信し、又は前記第一のアクセス・サブネットワークに第二のサービス・ダウンリンク・データを送信するステップと
を含み、
前記第一のアクセス・サブネットワークと前記第二のアクセス・サブネットワークは異なる無線通信アクセス技術を採用する、方法。
【請求項９】
前記所定のパラメータが、前記第二のサービス要求により要求されるサービスの質と、前記ユーザ機器の前記第二のアクセス・サブネットワークにアクセスする能力と、前記第一のアクセス・サブネットワーク及び前記第二のアクセス・サブネットワークのネットワーク能力と、現在のネットワーク負荷とを含む、請求項８に記載の方法。
【請求項１０】
前記第一のアクセス・サブネットワークから第一のサービス要求を受信するステップと、
前記第一のアクセス・サブネットワークから第一のサービス・アップリンク・データを受信し、又は前記第一のアクセス・サブネットワークに第一のサービス・ダウンリンク・データを送信するステップと
をさらに含む、請求項８に記載の方法。
【請求項１１】
前記第一のアクセス・サブネットワークに前記ユーザ機器との初期リンクを確立するように指示するために、被発呼アクセス要求を前記第一のアクセス・サブネットワークに送信するステップと、
前記第一のアクセス・サブネットワークから第一のサービス・アップリンク・データを受信し、又は前記第一のアクセス・サブネットワークに第一のサービス・ダウンリンク・データを送信するステップと
をさらに含む、請求項８に記載の方法。
【請求項１２】
無線通信ネットワークのユーザ機器におけるアクセスにおいて支援する方法であって、
Ｉ．第一のアクセス・サブネットワークとの初期リンクを確立するステップと、
ＩＩ．前記第一のアクセス・サブネットワークから第一のサービス・ダウンリンク・データを受信し、又は前記第一のアクセス・サブネットワークに第一のサービス・アップリンク・データを送信するステップと、
ＩＩＩ．前記第一のアクセス・サブネットワークに第二のサービス要求を送信するステップと、
ＩＶ．第二のアクセス・サブネットワークとのリンクを確立するステップと、
ＶＩ．前記第二のアクセス・サブネットワークから第二のサービス・ダウンリンク・データを受信し、又は前記第二のアクセス・サブネットワークに第二のサービス・アップリンク・データを送信するステップと
を含み、
前記第一のアクセス・サブネットワークと前記第二のアクセス・サブネットワークは異なる無線通信アクセス技術を採用する、方法。
【請求項１３】
前記ステップＩＶの前に、
前記第二のアクセス・サブネットワークとのリンクを確立するように前記ユーザ機器に指示するために、前記第一のアクセス・サブネットワークから第二の通知メッセージを受信するステップ
をさらに含む、請求項１２に記載の方法。
【請求項１４】
前記ステップＩの前に、
第一のサービス要求を前記第一のアクセス・サブネットワークに送信するステップ
をさらに含む、請求項１２に記載の方法。
【請求項１５】
無線通信ネットワークのアクセス・ネットワークにおけるアクセスの方法であって、
前記アクセス・ネットワークは、それらの間において通信が実行され得る、少なくとも第一のアクセス・サブネットワークと第二のアクセス・サブネットワークを含み、
前記第一のアクセス・サブネットワークと前記第二のアクセス・サブネットワークは異なる無線通信アクセス技術を採用する、方法。
【発明の詳細な説明】
【技術分野】
【０００１】
本開示は、無線通信ネットワークに関し、特に、無線通信ネットワークにおけるアクセスの方法に関する。
【背景技術】
【０００２】
無線通信ネットワークのアクセス・ネットワークにおいては、例えば移動体通信用グローバル・システム（ＧＳＭ）アクセス・ネットワーク、ユニバーサル移動体電気通信システム（ＵＭＴＳ）アクセス・ネットワーク、時分割二重化（ＴＤＤ）−同期符号分割多重アクセス（ＴＤ−ＳＣＤＭＡ）アクセス・ネットワーク、ロング・ターム・エボリューション（ＬＴＥ）アクセス・ネットワーク、マイクロ波アクセスのための世界的相互運用（ＷｉＭａｘ）アクセス・ネットワーク等の異なる無線通信アクセス技術を採用するアクセス・サブネットワークが存在する。これらのアクセス・サブネットワークには、それぞれコア・ネットワークへのリンクが設けられ、それぞれアクセス・ネットワークへのユーザ機器のアクセスを確立するためにユーザ機器へのリンクを確立することが可能である。
【０００３】
しかし先行技術においては、これらのアクセス・サブネットワークの独立はユーザ機器のデータ・レートが、ユーザ機器がアクセスを有するアクセス・サブネットワークのデータ・レートに制限されるという結果を生じさせる。とりわけ、各アクセス・サブネットワークの間のユーザ機器のハンドオーバはハンドオーバ・リレーを生じ、ユーザが種々のタイプのサービスを必要とするときにユーザ機器について必要とされるサービスさえ中断させられ得る。
【０００４】
例えば、ＧＳＭネットワークの限られたレートに起因して、ユーザ機器が音声データを送信するためにＧＳＭアクセス・ネットワークとのリンクを確立したとき、ユーザ機器が新しいＬＴＥデータ・サービスをさらに要求した場合には、ユーザ機器はＧＳＭネットワークとのリンクを切断してその後ＬＴＥアクセス・ネットワークとのリンクを確立しなければならず、そのため音声サービスは中断される。或いはユーザ機器がＬＴＥデータ・サービスを伝送するためにＬＴＥアクセス・ネットワークとのリンクを確立したとき、ユーザ機器が音声通信サービスを要求した場合には、ユーザ機器はＬＴＥアクセス・ネットワークとのリンクを切断してさらにＧＳＭアクセス・ネットワークとのリンクを確立しなければならず、そのためデータ・サービスは中断される。
【発明の概要】
【発明が解決しようとする課題】
【０００５】
通信規格においては、種々の無線アクセス技術を全体として採用するアクセス・サブネットワークのベース・バンド・ユニット（ＢＢＵ）を使用してＢＢＵプールを構築することが提案された。しかし、ＢＢＵ間の通信を使用するユーザ機器のデータ・レートを増加させる方法は未だに提案されていない。
【０００６】
先行技術の前述の理解とその技術的問題を考慮すると、ユーザ機器のデータ・レートを増加させ、ハンドオーバ遅延を緩和又は回避して、ユーザが同時に種々のサービスにいかなるサービスを中断することなくアクセスすることを可能にするためのアクセスの方法が提供され得れば非常に有益であろう。
【課題を解決するための手段】
【０００７】
本発明の第一の態様によれば、無線通信ネットワークの第一のアクセス・サブネットワークにおけるアクセスの方法が提供され、前記方法は、ａ．ユーザ機器との初期リンクを確立するステップと、ｂ．コア・ネットワークから第一のサービス・ダウンリンク・データを受信し、又はユーザ機器から第一のサービス・アップリンク・データを受信するステップと、ｃ．第一のサービス・ダウンリンク・データをユーザ機器に送信し、又は第一のサービス・アップリンク・データをコア・ネットワークに送信するステップと、ｄ．ユーザ機器から第二のサービス要求を受信するステップと、ｅ．第二のサービス要求をコア・ネットワークに転送するステップと、ｆ．コア・ネットワークから第二のサービス・ダウンリンク・データを受信し、又は第二のアクセス・サブネットワークから第二のサービス・アップリンク・データを受信するステップと、ｇ．第二のサービス・ダウンリンク・データを第二のアクセス・サブネットワークに送信し、又は第二のサービス・アップリンク・データをコア・ネットワークに送信するステップとを含み、第一のアクセス・サブネットワークと第二のアクセス・サブネットワークは異なる無線通信アクセス技術を採用する。
【０００８】
本発明の第二の態様によれば、無線通信ネットワークの第二のアクセス・サブネットワークにおけるアクセスの方法が提供され、前記方法は、Ａ．第一のアクセス・サブネットワーク又はコア・ネットワークからユーザ機器とのリンクを確立するように第二のアクセス・サブネットワークに指示するための第一の通知メッセージを受信し、又はユーザ機器からリンク確立要求を受信するステップと、Ｂ．ユーザ機器とのリンクを確立するステップと、Ｃ．第一のアクセス・サブネットワークから第二のサービス・ダウンリンク・データを受信し、又はユーザ機器から第二のサービス・アップリンク・データを受信するステップと、Ｄ．第二のサービス・ダウンリンク・データをユーザ機器に送信し、又は第二のサービス・アップリンク・データを第一のアクセス・サブネットワークに送信するステップとを含み、第一のアクセス・サブネットワークと第二のアクセス・サブネットワークは異なる無線通信アクセス技術を採用する。
【０００９】
本発明の第三の態様によれば、無線通信ネットワークのコア・ネットワークにおけるアクセスにおいて支援する方法が提供され、前記方法は、ｉ．第一のアクセス・サブネットワークから第二のサービス要求を受信するステップであって、第二のサービス要求はユーザ機器から発信されて第一のアクセス・サブネットワークにより転送されるステップと、ｉｉ．所定のパラメータに従って第二のサービス要求が第二のアクセス・サブネットワークにより処理される必要があるか否かを決定するステップと、ｉｉｉ．第二のサービス要求が第二のアクセス・サブネットワークにより処理される必要がある場合に第二のアクセス・サブネットワークにユーザ機器とのリンクを確立することを指示するために、第一の通知メッセージを第二のアクセス・サブネットワークに送信するステップと、ｉｖ．第一のアクセス・サブネットワークから第二のサービス・アップリンク・データを受信し、又は第一のアクセス・サブネットワークに第二のサービス・ダウンリンク・データを送信するステップとを含み、第一のアクセス・サブネットワークと第二のアクセス・サブネットワークは異なる無線通信アクセス技術を採用する。
【００１０】
本発明の第四の態様によれば、無線通信ネットワークのユーザ機器におけるアクセスにおいて支援する方法が提供され、前記方法は、Ｉ．第一のアクセス・サブネットワークとの初期リンクを確立するステップと、ＩＩ．第一のアクセス・サブネットワークから第一のサービス・ダウンリンク・データを受信し、又は第一のアクセス・サブネットワークに第一のサービス・アップリンク・データを送信するステップと、ＩＩＩ．第一のアクセス・サブネットワークに第二のサービス要求を送信するステップと、ＩＶ．第二のアクセス・サブネットワークとのリンクを確立するステップと、ＶＩ．第二のアクセス・サブネットワークから第二のサービス・ダウンリンク・データを受信し、又は第二のアクセス・サブネットワークに第二のサービス・アップリンク・データを送信するステップとを含み、第一のアクセス・サブネットワークと第二のアクセス・サブネットワークは異なる無線通信アクセス技術を採用する。
【００１１】
本発明の第五の態様によれば、無線通信ネットワークのアクセス・ネットワークにおけるアクセスの方法が提供され、ここではアクセス・ネットワークは、それらの間において通信が実行され得る、少なくとも第一のアクセス・サブネットワークと第二のアクセス・サブネットワークを含み、第一のアクセス・サブネットワークと第二のアクセス・サブネットワークは異なる無線通信アクセス技術を採用する。
【発明の効果】
【００１２】
本発明の解決手段により、マルチスタンダード無線通信アクセス・ネットワークのための解決手段が提案される。ユーザ機器は、異なる無線アクセス技術を採用するアクセス・サブネットワーク間においてハンドオーバなしに異なるタイプのサービスを同時に享受することができる。具体的には、ユーザ機器は第一のアクセス・サブネットワークとの初期リンクを中断することなしに第二のサービスのデータを取得することができる。本発明の解決手段により、異なる無線アクセス技術の間の隔たりは除去され、アクセス・ネットワークのデータ伝送レートは異なる無線アクセス技術下のデータ伝送レートの合計に増加され得る。そのため、ユーザ機器のデータ・レートはユーザ機器がリンクされるアクセス・サブネットワークのネットワーク・データ・レートに制限されない。
【００１３】
さらに、本発明の解決手段により、より単純なネットワーク・アーキテクチャが実施され得る。ユーザ側及びコア・ネットワーク側において、種々の無線アクセス技術を採用するアクセス・サブネットワークは異なるアクセス・サブネットワークを区別することなく全体として考えられ得る。運用者にとって、異なる無線アクセス技術は共有されたリソースのプールを構成し、これにより運用資産の投資と固定資産の投資の両方が削減され得る。
【００１４】
本発明の他の特徴、目的及び利点は、図面との関係において得られる非制限的な実施形態の以下の詳細な説明からより明白になるであろう。
【図面の簡単な説明】
【００１５】
【図１】本発明の実施形態による通信ネットワークの接続形態の概略構造図を示す。
【図２】本発明の実施形態による方法のフロー・チャートを示す。
【発明を実施するための形態】
【００１６】
図面中の異なる図を通じて、同一又は類似の参照数字は同一又は類似の装置（モジュール）又はステップを示す。
【００１７】
図１は、本発明の実施形態による通信ネットワークの接続形態の概略構造図を示す。通信ネットワーク１００は、コア・ネットワーク１１０とゲートウェイ１２０と第一のアクセス・サブネットワークと第二のアクセス・サブネットワークとユーザ機器１５０を備えている。第一のアクセス・サブネットワークと第二のアクセス・サブネットワークは、それぞれ複数のベース・バンド・ユニットを含み得る。単純化のために、ここでは第一のアクセス・サブネットワークのベース・バンド・ユニット１３１と第二のアクセス・サブネットワークのベース・バンド・ユニット１３２のみが示される。さらに、第一のアクセス・サブネットワークと第二のアクセス・サブネットワークは、それぞれ複数の遠隔無線ヘッド（ＲＲＨ）を含み得る。単純化のために、ここでは第一のアクセス・サブネットワークの遠隔無線ヘッド１４１と第二のアクセス・サブネットワークの遠隔無線ヘッド１４２のみが示される。コア・ネットワーク１１０は、ゲートウェイ１４０を通じて第一のアクセス・サブネットワークと第二のアクセス・サブネットワークに接続されている。ユーザ機器１５０が第一のアクセス・サブネットワークと第二のアクセス・サブネットワークの重複カバー地域に所在するとき、ユーザ機器１５０は第一のアクセス・サブネットワークのベース・バンド・ユニット１３１を通じて第一のアクセス・サブネットワーク内の遠隔無線ヘッド１４１を介して第一のアクセス・サブネットワークとのリンクを確立し得て、ユーザ機器１５０は、第二のアクセス・サブネットワークのベース・バンド・ユニット１３２を通じて第二のアクセス・サブネットワーク内の遠隔無線ヘッド１４２を介して第二のアクセス・サブネットワークとのリンクをさらに確立し得る。
【００１８】
十分に理解され得るように、本発明の実施はアクセス・サブネットワークのタイプに制限されない。第一のアクセス・サブネットワークと第二のアクセス・サブネットワークは、ＧＳＭ、ＵＭＴＳ、ＬＴＥ、ＷｉＭａｘ、ＴＤ−ＳＣＤＭＡ及び他の既知の無線アクセス技術のうちのいずれか、又は将来に開発される可能性がある他の無線アクセス技術を採用し得る。本発明の図示する実施形態についての例として、以下においては第一のアクセス・サブネットワークはＧＳＭアクセス技術を採用し、第二のアクセス・サブネットワークはＬＴＥアクセス技術を採用する。第一のサービスは音声通信サービスであり、第二のサービスはＬＴＥデータ・サービスである。
【００１９】
第一のアクセス・サブネットワーク内のベース・バンド・ユニット１３１は、遠隔無線ヘッド１４１を通じてユーザ機器１５０からデータを受信することができ、遠隔無線ヘッド１４１を通じてユーザ機器１５０にデータを送信することができる。ここでは、データはＧＳＭアクセス技術に従ってカプセル化されたＧＳＭプロトコル・データ単位（ＰＤＵ）である。第二のアクセス・サブネットワーク内のベース・バンド・ユニット１３２は、遠隔無線ヘッド１４２を通じてユーザ機器１５０からデータを受信することができ、遠隔無線ヘッド１４２を通じてユーザ機器１５０にデータを送信することができる。ここでは、データはＬＴＥアクセス技術に従ってカプセル化されたＬＴＥプロトコル・データ単位である。
【００２０】
本発明の実施形態による方法の流れは、図２を参照して後述される。ステップＳ２０１において、ユーザ機器１５０は音声通信サービスを要求するために第一のサービス要求をＧＳＭベース・バンド・ユニット１３１に送信する。ステップＳ２０２において、ＧＳＭベース・バンド・ユニット１３１は受信された第一のサービス要求をコア・ネットワーク１１０に送信する。ステップＳ２３０において、ＧＳＭベース・バンド・ユニット１３１はユーザ機器１５０との初期リンクを確立する。
【００２１】
当業者は、ユーザ機器１５０が音声通信の被発呼側である場合には、ＧＳＭベース・バンド・ユニット１３１がユーザ機器１５０との初期リンクを確立する前に、ユーザ機器１５０との初期リンクを確立するようにＧＳＭベース・バンド・ユニット１３１に指示するために、コア・ネットワーク１１０がＧＳＭベース・バンド・ユニット１３１への被発呼アクセス要求を送信することが可能であることを十分に理解することができる。
【００２２】
ＧＳＭベース・バンド・ユニット１３１がユーザ機器１５０との初期リンクを確立した後に、ＧＳＭベース・バンド・ユニット１３１はステップＳ２０４においてコア・ネットワーク１１０から音声通信サービスのダウンリンク・データを受信し、続いてステップＳ２０５においてユーザ機器１５０に音声通信サービスのダウンリンク・データを送信することが可能である。ＧＳＭベース・バンド・ユニット１３１は、ステップＳ２０５においてユーザ機器１５０から音声通信サービスのアップリンク・データを受信し、続いてステップＳ２０４においてコア・ネットワーク１１０に音声通信サービスのアップリンク・データを送信することも可能である。
【００２３】
ステップＳ２０６において、ユーザ機器１５０はＬＴＥデータ・サービスを要求するために第二のサービス要求をＧＳＭベース・バンド・ユニット１３１に送信する。ステップＳ２０７において、ＧＳＭベース・バンド・ユニット１３１は受信された第二のサービス要求をコア・ネットワーク１１０に送信する。
【００２４】
ステップＳ２０８において、ＧＳＭベース・バンド・ユニット１３１は第二のサービス要求がＬＴＥベース・バンド・ユニット１３２によって所定のパラメータに従って処理される必要があるか否かを決定する。ここで所定のパラメータは、第二のサービス要求により要求されるサービスの質と、ユーザ機器の第二のアクセス・サブネットワークにアクセスする能力と、第一のアクセス・サブネットワーク及び第二のアクセス・サブネットワークのネットワーク能力と、現在のネットワーク負荷とを含む。
【００２５】
第二のサービス要求が第二のアクセス・サブネットワークにより処理される必要がある場合には、ステップＳ２０９において、ＧＳＭベース・バンド・ユニット１３１はユーザ機器１５０とのリンクを確立するようにＬＴＥベース・バンド・ユニット１３２に指示するために、第一の通知メッセージをＬＴＥベース・バンド・ユニット１３２に送信する。ユーザ機器１５０とのリンクを確立するようにＬＴＥベース・バンド・ユニット１３２に指示することに加えて、第二のサービス要求がＬＴＥベース・バンド・ユニット１３２によって処理される必要がある場合には、ＧＳＭベース・バンド・ユニット１３１がユーザ機器にＬＴＥベース・バンド・ユニット１３２とのリンクを確立するように指示するために、第二の通知メッセージをユーザ機器１５０に送信することも可能であることを、当業者は十分に理解するであろう。ユーザ機器は第二の通知メッセージを受信すると、ＬＴＥベース・バンド・ユニット１３２にリンク確立要求を送信する。ステップＳ２１０において、ＬＴＥベース・バンド・ユニット１３２はユーザ機器１５０とのリンクを確立する。
【００２６】
代替的には第二のサービス要求がＬＴＥベース・バンド・ユニット１３２によって処理される必要があるか否かをコア・ネットワーク１１０が決定し得ることを、当業者は十分に理解することができる。例えば、コア・ネットワーク１１０は第二のサービス要求を受信すると、第二のサービス要求がＬＴＥベース・バンド・ユニット１３２によって所定のパラメータに従って処理される必要があるか否かを決定する。ここで所定のパラメータは、第二のサービス要求により要求されるサービスの質と、ユーザ機器の第二のアクセス・サブネットワークにアクセスする能力と、第一のアクセス・サブネットワーク及び第二のアクセス・サブネットワークのネットワーク能力と、現在のネットワーク負荷とを含む。第二のサービス要求がＬＴＥベース・バンド・ユニット１３２により処理される必要がある場合には、ＧＳＭベース・バンド・ユニット１３１はユーザ機器１５０とのリンクを確立するようにＬＴＥベース・バンド・ユニット１３２に指示するために、ＬＴＥベース・バンド・ユニット１３２に第一の通知メッセージを送信する。
【００２７】
ＬＴＥベース・バンド・ユニット１３２がユーザ機器１５０とのリンクを確立した後に、ステップＳ２１１においてコア・ネットワーク１１０はＧＳＭベース・バンド・ユニット１３１にＬＴＥデータ・サービスのダウンリンク・データを送信することが可能である。ステップＳ２１２においてＧＳＭベース・バンド・ユニット１３１はＬＴＥデータ・サービスのダウンリンク・データをＬＴＥベース・バンド・ユニット１３２に送信し、ステップＳ２１３においてＬＴＥベース・バンド・ユニット１３２はＬＴＥデータ・サービスのダウンリンク・データをユーザ機器１５０に送信する。
【００２８】
ステップＳ２１３においてユーザ機器１５０がＬＴＥデータ・サービスのアップリンク・データをＬＴＥベース・バンド・ユニット１３２に送信し、ステップＳ２１２においてＬＴＥベース・バンド・ユニット１３２がＬＴＥデータ・サービスのアップリンク・データをＧＳＭベース・バンド・ユニット１３１に送信し、ステップＳ２１１においてＧＳＭベース・バンド・ユニット１３１がＬＴＥデータ・サービスのアップリンク・データをコア・ネットワーク１１０に送信することもまた可能であることを、当業者は十分に理解することができる。
【００２９】
本発明の解決手段により、マルチスタンダード無線通信アクセス・ネットワークのための解決手段が提案される。ユーザ機器は、異なる無線アクセス技術を採用するアクセス・サブネットワークの間においてハンドオーバされることなく同時に異なるタイプのサービスを享受することができる。具体的には、ユーザ機器はＧＳＭベース・バンド・ユニット１３１との初期リンクを中断することなく、ＬＴＥサービスのデータを取得することができる。本発明の解決手段により、異なる無線アクセス技術の間の隔たりは除去され、アクセス・ネットワークのデータ伝送レートは異なる無線アクセス技術の下におけるデータ伝送レートの合計に増加され得る。そのため、ユーザ機器のデータ・レートはユーザ機器がリンクされるアクセス・サブネットワークのネットワーク・データ・レートに制限されないであろう。
【００３０】
図２を参照して上述した方法の複数のステップの間において、各ステップは必ずしも図示された順序により実行されなくてもよい。例えば、ＧＳＭベース・バンド・ユニット１３１は最初に第二のサービス要求がＬＴＥベース・バンド・ユニット１３２によって所定のパラメータに従って処理される必要があるか否かを決定して、その後第二のサービス要求をコア・ネットワーク１１０に送信することができる。本発明を実施するための他の配置もまた包含され得て、その詳細な説明はここに限定されるであろう。
【００３１】
ＧＳＭベース・バンド・ユニット１３１とＬＴＥベース・バンド・ユニット１３２の間には、種々の可能な通信の実施が存在する。本発明のある実施形態において、ＧＳＭベース・バンド・ユニット１３１とＬＴＥベース・バンド・ユニット１３２の間の通信インターフェースは、ＬＴＥプロトコルにおける複数のイーノードＢ（ｅＮｏｄｅＢ）の間のＸ２インターフェースに類似して定義される。ＧＳＭベース・バンド・ユニット１３１は上述の通信インターフェースに対応するヘッダをユーザ層プロトコル・データ単位に追加し、ユーザ層プロトコル・データ単位はその後ＬＴＥベース・バンド・ユニット１３２に送信され、その逆もまた同様である。ＧＳＭベース・バンド・ユニット１３１はＧＳＭプロトコルのメディア・アクセス制御（ＭＡＣ）ヘッダをユーザ層プロトコル・データ単位に追加し、ユーザ層プロトコル・データ単位は物理層において処理されてその後ユーザ機器１５０に送信される。ＬＴＥベース・バンド・ユニット１３２はＬＴＥプロトコルのＭＡＣ層ヘッダをユーザ層プロトコル・データ単位に追加し、ユーザ層プロトコル・データ単位は物理層において処理されてその後ユーザ機器１５０に送信される。
【００３２】
統合されたアクセス・ネットワークを形成するために、上述されたインターフェースを介して異なる無線アクセス技術を採用する各アクセス・サブネットワークを共に接続することもまた可能である。アクセス・ネットワークに対して内部の処理動作は、ユーザ機器及びコア・ネットワークに対してトランスペアレントである。
【００３３】
本発明の解決手段により、より単純なネットワーク・アーキテクチャが実施され得る。ユーザ側及びコア・ネットワーク側において、種々の無線アクセス技術を採用するアクセス・サブネットワークは異なるアクセス・サブネットワークを区別することなく全体として考えられ得る。運用者にとって、異なる無線アクセス技術は共有されたリソースのプールを構成し、これにより運用資産の投資と固定資産の投資の両方が削減され得る。
【００３４】
当業者にとっては、本発明が上述された例示の実施形態に制限されず、本発明の精神又は本質から逸脱することなく他の特定の形態により実施され得ることは明白である。従って、実施形態はいかなる意味においても例示的であるが制限しないように解釈される。さらに、明らかに「備えている」、「含む」の用語は別の要素又はステップを除外せず、「ある」（ａ，ａｎ）の用語は複数を除外しない。装置請求項において述べられた複数の要素は、単一の要素により実現され得る。「第一」、「第二」等の用語は名称を指定することが意図されたものであるが、いかなる特定の順序をも示唆するものではない。
【図１】
0005893165.tif 000002
【図２】
0005893165.tif 000003